(57)【要約】【課題】焼却施設の排ガス中の酸性成分を確実に処理して無害化すると共に、最終処分場における鉛等の重金属の長期安定的固定と飛灰混練機材質等の腐食防止を図る。【解決手段】燃焼施設から発生する排ガスにマグネシウム系アルカリ剤および炭酸水素ナトリウムを含む酸性ガス処理剤を噴霧して該排ガス中の酸性成分を処理する工程と、該排ガスから集塵した飛灰にｐＨ９〜１１．５の条件下でリン酸系重金属固定剤を添加することにより、該飛灰中の重金属を固定化する工程とを備えてなる焼却施設の排ガスおよび飛灰の処理方法。【選択図】図１
2007260553.tif 000002
【特許請求の範囲】
【請求項１】
燃焼施設から発生する排ガスに酸性ガス処理剤としてマグネシウム系アルカリ剤および炭酸水素ナトリウムを噴霧して該排ガス中の酸性成分を処理する工程と、該排ガスから集塵した飛灰にｐＨ９〜１１．５の条件下でリン酸系重金属固定剤を添加することにより、該飛灰中の重金属を固定化する工程とを備えてなることを特徴とする焼却施設の排ガスおよび飛灰の処理方法。
【請求項２】
請求項１において、前記マグネシウム系アルカリ剤が酸化マグネシウム及び／又は水酸化マグネシウムであることを特徴とする焼却施設の排ガスおよび飛灰の処理方法。
【請求項３】
請求項２において、前記酸化マグネシウム及び／又は水酸化マグネシウムが鉱石を原料とするものであることを特徴とする焼却施設の排ガスおよび飛灰の処理方法。
【請求項４】
請求項１ないし３のいずれか１項において、前記リン酸系重金属固定剤が正リン酸とアルカリ剤とを配合した水溶液であり、該水溶液のｐＨが３以上であることを特徴とする焼却施設の排ガスおよび飛灰の処理方法。
【請求項５】
請求項４において、前記アルカリ剤が水酸化ナトリウムおよび／または水酸化カリウムであることを特徴とする焼却施設の排ガスおよび飛灰の処理方法。
【請求項６】
請求項１ないし５のいずれか１項において、酸性ガス処理剤としてマグネシウム系アルカリ剤と炭酸水素ナトリウムを配合した薬剤を前記排ガスに噴霧することを特徴とする焼却施設の排ガスおよび飛灰の処理方法。
【請求項７】
請求項１ないし６のいずれか１項において、前記酸性ガス処理剤が活性炭を含むことを特徴とする焼却施設の排ガスおよび飛灰の処理方法。
【発明の詳細な説明】
【技術分野】
【０００１】
本発明は、廃棄物焼却炉、発電ボイラ、炭化炉、灰溶融炉等の燃焼施設において発生する、塩化水素や硫黄酸化物等の有害な酸性成分を含む排ガス（以下「酸性ガス」と称す場合がある。）と、飛灰中の重金属を処理する方法に関し、特に飛灰中の鉛の長期安定的溶出防止に有効な処理方法に関するものである。
【背景技術】
【０００２】
従来、廃棄物焼却炉、発電ボイラ、炭化炉、灰溶融炉等の燃焼施設において発生する、塩化水素や硫黄酸化物等の有害な酸性成分を含む排ガスは、消石灰等の酸性ガス処理剤で処理され、その後、バグフィルター等の集塵機で除塵された後、煙突から排出される。
【０００３】
一方、集塵機で集塵された飛灰は、有害なＰｂ、Ｃｄ等の重金属類を含有しているため、これらの有害重金属の安定化処理が施された後、埋立処分されている。従来、飛灰中の重金属の処理方法としては、ジエチルジチオカルバミン酸塩等のキレート剤で不溶化処理する方法（例えば、特許文献１，２）が一般的であるが、キレート剤による処理では、環境庁告示１３号試験による短期の固定効果は高いが、最終処分場における酸性雨によるｐＨ低下、キレートの酸化自己分解によるＰｂ等の重金属の再溶出の問題が残る。
【０００４】
これに対して、リン酸等のリン酸系重金属固定剤により重金属を固定する方法（例えば特許文献３）は、重金属を無機鉱物であるヒドロキシアパタイト形態まで変化させるため、最終処分場における長期安定性に優れ、環境保護の観点から非常に価値の高い処理方法である。
【０００５】
ところで、塩化水素等の酸性ガスを消石灰で処理する場合、酸性ガスに対する消石灰の必要量が多く、この結果、酸性ガスを消石灰で処理している焼却施設で集塵された飛灰は、消石灰による未反応アルカリ分が残存するアルカリ性の飛灰（以下「アルカリ飛灰」と称す場合がある。）となる。このようなアルカリ飛灰をリン酸等の無機重金属固定剤で処理するには、多量の添加量を必要とするか、或いは飛灰ｐＨを低下させるために酸度の高い正リン酸や中和剤として硫酸バンドや塩化鉄等を併用する必要がある。これらの酸性薬剤は強酸であるため、このような薬剤の使用は薬注配管や混練機材質の腐食等の問題を引き起こしたり、腐食防止のために材質変更などの改造が必要となるなどの問題がある。
【特許文献１】特開平３−２３１９２１号公報
【特許文献２】特開平６−１５２８０号公報
【特許文献３】特公平４−６１７１０号公報
【発明の開示】
【発明が解決しようとする課題】
【０００６】
本発明は、このような焼却施設の排ガスおよび飛灰処理現状を考慮し、リン酸系重金属固定剤を用いて、最終処分場における飛灰の鉛等の長期安定的固定を実現する上で、酸性ガスの処理、飛灰混練機材質等の腐食防止などを含めた総合的な処理における最適な処理方法を提供することを目的とするものである。
【課題を解決するための手段】
【０００７】
本発明（請求項１）の焼却施設の排ガスおよび飛灰の処理方法は、燃焼施設から発生する排ガスにマグネシウム系アルカリ剤および炭酸水素ナトリウムを噴霧して該排ガス中の酸性成分を処理する工程と、該排ガスから集塵した飛灰にｐＨ９〜１１．５の条件下にリン酸系重金属固定剤を添加することにより、該飛灰中の重金属を固定化する工程とを備えてなることを特徴とする。
【０００８】
請求項２の焼却施設の排ガスおよび飛灰の処理方法は、請求項１において、前記マグネシウム系アルカリ剤が酸化マグネシウム及び／又は水酸化マグネシウムであることを特徴とする。
【０００９】
請求項３の焼却施設の排ガスおよび飛灰の処理方法は、請求項２において、前記酸化マグネシウム及び／又は水酸化マグネシウムが鉱石を原料とするものであることを特徴とする。
【００１０】
請求項４の焼却施設の排ガスおよび飛灰の処理方法は、請求項１ないし３のいずれか１項において、前記リン酸系重金属固定剤が正リン酸とアルカリ剤とを配合した水溶液であり、該水溶液のｐＨが３以上であることを特徴とする。
【００１１】
請求項５の焼却施設の排ガスおよび飛灰の処理方法は、請求項４において、前記アルカリ剤が水酸化ナトリウムおよび／または水酸化カリウムであることを特徴とする。
【００１２】
請求項６の焼却施設の排ガスおよび飛灰の処理方法は、請求項１ないし５のいずれか１項において、マグネシウム系アルカリ剤と炭酸水素ナトリウムを配合した酸性ガス処理剤を前記排ガスに噴霧することを特徴とする。
【００１３】
請求項７の焼却施設の排ガスおよび飛灰の処理方法は、請求項１ないし６のいずれか１項において、前記酸性ガス処理剤が活性炭を含むことを特徴とする。
【発明の効果】
【００１４】
本発明によれば、排ガス中の酸性成分を確実に処理して無害化すると共に、最終処分場における鉛等の重金属の長期安定的固定と飛灰混練機材質等の腐食防止を図ることが可能となる。
【００１５】
即ち、排ガスにマグネシウム系アルカリ剤および炭酸水素ナトリウムを噴霧することにより、排ガス中の塩化水素や硫黄酸化物等の酸性成分はマグネシウム系アルカリ剤および炭酸水素ナトリウムと反応して中和除去される。また、マグネシウム系アルカリ剤の残留分が飛灰中に含まれる場合は、そのｐＨ緩衝作用により、消石灰と異なり、飛灰のｐＨを安定的に９〜１１．５に調整することができ、鉛やカドミウムの溶出を抑えることができる。
【００１６】
このマグネシウム系アルカリ剤としては、酸化マグネシウム及び／又は水酸化マグネシウムが好ましく（請求項２）、酸化マグネシウム及び／又は水酸化マグネシウムは鉱石を原料とするものであっても良い（請求項３）。
【００１７】
また、マグネシウム系アルカリ剤と炭酸水素ナトリウムとを併用することにより、炭酸水素ナトリウム単独処理では不安定であったｐＨを９〜１１．５に安定的に調整することができ、酸性の重金属固定剤適用時の飛灰ｐＨ低下に伴うＣｄ溶出をマグネシウム系アルカリ剤のｐＨ緩衝作用により防止することができる。また、本発明に係る酸性ガス処理剤には活性炭を配合しても良く、この場合には活性炭の吸着効果で排ガス中のダイオキシン類を吸着して除去することができる（請求項７）。
【００１８】
しかして、このようにマグネシウム系アルカリ剤および炭酸水素ナトリウムで排ガス処理して得られる飛灰であれば、少量のリン酸系重金属固定剤添加量で重金属を長期に亘り安定かつ確実に固定することができ、中和剤としての酸性薬剤の使用の必要もないことから、混練機材質等の腐食の問題も軽減する。
【００１９】
また、リン酸系重金属固定剤は正リン酸と水酸化ナトリウム及び／又は水酸化カリウム等のアルカリ剤とを含む水溶液であることが好ましく（請求項４，５）、この場合には、重金属固定剤の混練機材質等への腐食の問題は大幅に軽減する。
【発明を実施するための最良の形態】
【００２０】
以下に図面を参照して本発明の焼却施設の排ガスおよび飛灰の処理方法の実施の形態を詳細に説明する。
【００２１】
図１は焼却施設の排ガスおよび飛灰の処理方法の実施の形態を説明する焼却施設の模式図である。
【００２２】
図１に示す如く、焼却施設では、焼却炉１の排ガスがガス冷却塔２で冷却された後、バグフィルター（ＢＦ）３で集塵され、煙突４から排出される。バグフィルター３で集塵された飛灰はサイロ５に貯留された後、混練機６で重金属固定剤が添加混練されて重金属が固定処理された後埋立処分される。
【００２３】
本発明においては、このような焼却施設において、煙道の排ガスに酸性ガス処理剤としてマグネシウム系アルカリ剤および炭酸水素ナトリウムを噴霧すると共に、重金属固定剤としてリン酸系重金属固定剤を飛灰に添加する。
【００２４】
マグネシウム系アルカリ剤としては、水酸化マグネシウム及び／又は酸化マグネシウムが好ましく、これらは、ブルーサイト等の鉱物由来のものを用いるのが、薬剤コストの低減に有利である。
【００２５】
マグネシウム系アルカリ剤は微粒子状であることが、比表面積が大きく、反応活性に優れることから好ましいが、過度に細いものはバグフィルター差圧を上昇させるため、具体的には平均粒径ｄ５０が３０μｍ以下、特に６〜２０μｍであることが好ましい。
【００２６】
炭酸水素ナトリウムもまた、微粒子状であることが、比表面積が大きく、反応活性に優れることから好ましく、具体的には平均粒径ｄ５０が３０μｍ以下、特に６〜２０μｍであることが好ましい。
【００２７】
酸性ガス処理剤は、焼却施設のうち、バグフィルター３等の集塵機よりも上流側の箇所に添加することが好ましく、例えば、図１のバグフィルター３の入口であるＢ点や、ガス冷却塔（又は減温塔など）２の入口であるＡ点等に添加することが好ましい。
【００２８】
酸性ガス処理剤が添加される箇所の温度としては、１５０〜７００℃程度が好ましく、特に１６０〜５００℃がより好ましい。
【００２９】
酸性ガス処理剤は例えば、図１のＡ点又はＢ点のみの一箇所に噴霧しても良く、Ａ点とＢ点との二箇所のように、複数箇所に噴霧しても良い。また、酸性ガス処理剤として２種以上の薬剤を用いる場合、これらを予め混合して一剤として噴霧しても良く、混合することなく別々に一箇所で噴霧しても良く、また別々に複数箇所で噴霧しても良い。例えば、マグネシウム系アルカリ剤と炭酸水素ナトリウムとを併用する場合、マグネシウム系アルカリ剤をＡ点に噴霧して炭酸水素ナトリウムをＢ点に噴霧しても良く、これらを共にＢ点に噴霧しても良い。特に、炭酸水素ナトリウムは、反応性の高い剤であることから、ガス冷却塔や減温塔よりも下流側にある集塵器の手前の煙道において排ガス中に噴霧することが、酸性成分の除去効果の面で好ましい。
【００３０】
酸性ガス処理剤の噴霧量は、焼却炉から排出される排ガス中に含まれる塩化水素や硫黄酸化物などの酸性成分濃度に応じて決定するが、削減したい酸性成分濃度に対して水酸化マグネシウム及び／又は酸化マグネシウムおよび炭酸水素ナトリウムを合計１当量以上添加することが好ましい。また、酸性ガス処理剤の噴霧位置よりも上流あるいは下流側の酸性成分の濃度によって噴霧量の制御を行うと、最小限の噴霧量で効率良く酸性成分の中和除去ができる。
【００３１】
通常の場合、酸性ガス処理剤の噴霧量は、マグネシウム系アルカリ剤と炭酸水素ナトリウムを１：２０〜１（重量比）の割合で、合計で６００〜２００００ｍｇ／Ｎｍ３程度噴霧することが好ましい。
【００３２】
なお、マグネシウム系アルカリ剤は、粉体のまま噴霧しても良く、０．１〜４５重量％好ましくは８〜２０重量％程度の水スラリーとして噴霧しても良い。この場合のスラリー濃度は、薄いとスラリーの噴霧量が多くなり、濃いと薬剤供給ラインやノズルを閉塞させる恐れがある。
【００３３】
また、本発明に係る排ガス処理においては、酸性ガス処理剤と活性炭とを併用しても良く、活性炭の併用により排ガス中のダイオキシン類を吸着除去することができる。この場合、活性炭はバグフィルター前に噴霧することが好ましく、その噴霧量は、２０〜３００ｍｇ／Ｎｍ３程度とすることが好ましい。なお、活性炭は酸性ガス処理剤と別々に噴霧しても良く、活性炭と酸性ガス処理剤とを予め混合して一剤化したものを噴霧しても良い。
【００３４】
このようにマグネシウム系アルカリ剤および炭酸水素ナトリウムで処理した排ガスから集塵される飛灰は、マグネシウム系アルカリ剤のｐＨ緩衝作用により、安定的にｐＨ９〜１１．５に調整され、このような飛灰であれば重金属の溶出が起こり難い。
【００３５】
本発明では、このような飛灰に、ｐＨ９〜１１．５の条件下にリン酸系重金属固定剤を添加、混練して飛灰中の重金属を固定する。ｐＨ９〜１１．５の条件下で飛灰にリン酸系重金属固定剤を添加、混練することにより、リン酸系重金属固定剤の重金属固定効果を十分に得ることができ、少ないリン酸系重金属固定剤添加量で重金属を安定かつ確実に固定することができる。
【００３６】
上述の如く、酸性ガス処理剤としてマグネシウム系アルカリ剤および炭酸水素ナトリウムを噴霧する焼却施設から排出される飛灰は、そのままでｐＨ９〜１１．５の範囲となるため、これを特にｐＨ調整する必要はないが、ｐＨが１１．５を超える場合は硫酸バンド、硫酸鉄、塩化鉄等の中和剤を添加する。また、ｐＨが９未満の場合は排ガスに噴霧するマグネシウム系アルカリ剤の添加量を増加させたり、リン酸に配合するＮａＯＨやＫＯＨ等のアルカリ剤の量を増加する。
【００３７】
ここで用いるリン酸系重金属固定剤としては、正リン酸（オルソリン酸）、ポリリン酸、メタリン酸、次リン酸、亜リン酸、次亜リン酸、ピロリン酸、過リン酸、第一リン酸ソーダ、第二リン酸ソーダ、第三リン酸ソーダ、第一リン酸カリウム、第二リン酸カリウム、第三リン酸カリウム、第一リン酸カルシウム、第二リン酸カルシウム、第一リン酸マグネシウム、第二リン酸マグネシウム、第一リン酸アンモニウム、第二リン酸アンモニウム、過燐酸石灰、トリポリリン酸ナトリウム、トリポリリン酸カリウム、ヘキサメタリン酸ナトリウム、ヘキサメタリン酸カリウム、ピロリン酸ナトリウム、ピロリン酸カリウム、亜リン酸ナトリウム、亜リン酸カリウム、次亜リン酸ナトリウム、次亜リン酸カリウム等のリン酸やリン酸のアルカリ金属塩、アルカリ土類金属塩等の塩が挙げられる。これらのリン酸系重金属固定剤は１種を単独で用いても良く、２種以上を混合して用いても良い。
【００３８】
これらのうち、特に重金属固定効果並びに処理コスト的に正リン酸が好ましい。
【００３９】
正リン酸等のリン酸系重金属固定剤は、通常１５〜８０重量％程度の水溶液として飛灰に添加される。
【００４０】
なお、リン酸系重金属固定剤として特に正リン酸を用いる場合、正リン酸と水酸化ナトリウム及び／又は水酸化カリウム等のアルカリ剤とを含む水溶液として添加することが好ましく、このように水溶液中にアルカリ剤を配合することにより、混練機材質等の腐食の影響を大幅に低減することができる。
【００４１】
この場合、正リン酸として１５〜３５重量％、ＮａＯＨもしくはＫＯＨ等のアルカリ剤を純分として５〜３５重量％で、ｐＨ２以上、特に３〜１１程度の水溶液として飛灰に添加することが好ましい。
【００４２】
リン酸系重金属固定剤の添加量は、用いるリン酸系重金属固定剤の種類、アルカリ剤の併用の有無、処理する飛灰の性状（ｐＨや残留薬剤量）等によっても異なるが、通常、有効成分量で飛灰に対して正リン酸換算で０．１〜１０重量％とするのが好ましい。
【００４３】
また、アルカリ剤を併用する場合、飛灰に対してリン酸系重金属固定剤を有効成分量で０．１〜１０重量％、アルカリ剤を有効成分量で０．１〜２０重量％添加することが好ましい。
【００４４】
なお、飛灰の処理時に飛灰に添加する水の量は、処理効果に大きな影響を及ぼすものではないが、混練性、処理灰の取り扱い性等の面から飛灰に対して１０〜４０重量％とすることが好ましい。通常の場合、リン酸系重金属固定剤水溶液、又はリン酸系重金属固定剤とアルカリ剤の水溶液を添加することにより、このような水添加量が確保できるような濃度でリン酸系重金属固定剤水溶液、又はリン酸系重金属固定剤とアルカリ剤の水溶液が調製される。
【００４５】
本発明における排ガス処理には、マグネシウム系アルカリ剤、炭酸水素ナトリウム、更には活性炭の他、他の排ガス処理剤を併用しても良い。同様に、飛灰の処理にも、リン酸系重金属固定剤やアルカリ剤のほか、他の飛灰処理剤、例えばダイオキシン類分解剤等を添加しても良い。
【００４６】
このような本発明の方法によれば、排ガス処理と飛灰処理との関連において、最適な薬剤を選択使用することにより、これらを安定かつ確実に処理することが可能となる。
【実施例】
【００４７】
以下に実施例を挙げて本発明を更に具体的に説明するが、本発明はこれに限定されるものではない。なお、以下において「％」は「重量％」を示す。
【００４８】
実施例１
図１に示す廃棄物焼却施設（廃棄物処理量８ｔ／日）において、鉱物（ブルーサイト）が原料である酸化マグネシウム（粒径ｄ５０＝１６μｍ）をガス冷却塔前排ガス（Ａ点，温度６００℃）に、０．６ｋｇ／ｈ（３００ｍｇ／Ｎｍ３）噴霧すると共に、バグフィルター前排ガス（Ｂ点，温度１９０℃）に炭酸水素ナトリウム（粒径ｄ５０＝１０μｍ）を１．２ｋｇ／ｈ（６００ｍｇ／Ｎｍ３）噴霧した。この際、バグフィルター後段でバグフィルター出口排ガスの塩化水素濃度を３回／日の割合で測定し、酸性ガス除去能力を評価した（表１の実施例１）。
【００４９】
また、本薬剤噴霧時に採取した飛灰に、表２に示すリン酸系重金属固定剤を表２に示す添加量（飛灰に対する有効成分としての添加重量％）で添加して十分に混練し、得られた処理灰について、ＰｂとＣｄの溶出量を環境庁告示１３号試験で測定し、結果を表２に示した。
【００５０】
なお、表２中、「飛灰１」、「飛灰２」、「飛灰３」とは、各々、「１回目の塩化水素濃度測定時に集塵された飛灰」、「２回目の塩化水素濃度測定時に集塵された飛灰」、「３回目の塩化水素濃度測定時に集塵された飛灰」を示す。
【００５１】
また、表２にはリン酸系重金属固定剤を添加しない原灰の測定結果をブランクとして併記した。
【００５２】
実施例２
実施例１におけると同じ施設において、実施例１で用いたと同様の鉱物が原料である酸化マグネシウムと実施例１で用いたものと同様の炭酸水素ナトリウムを１：２（重量比）で配合した粉体薬剤を、バグフィルター前排ガス（Ｂ点）に１．８ｋｇ／ｈで噴霧し、実施例１と同様に酸性ガス除去能力と飛灰の重金属固定効果を評価して、結果を表１と表４に示した。
【００５３】
実施例３
実施例１におけると同じ施設において、実施例１で用いたものと同様の鉱物が原料である酸化マグネシウムと粉末活性炭を３：１（重量比）で配合した粉体薬剤を、バグフィルター前排ガス（Ｂ点）に０．８ｋｇ／ｈ（４００ｍｇ／Ｎｍ３）噴霧するとともに、実施例１で用いたものと同様の炭酸水素ナトリウムをバグフィルター前排ガス（Ｂ点）に１．２ｋｇ／ｈ（６００ｍｇ／Ｎｍ３）噴霧した。実施例１と同様に酸性ガス除去能力と飛灰の重金属固定効果を評価して、結果を表１と表４に示した。
【００５４】
比較例１
実施例１におけると同じ施設において、ＪＩＳ特号消石灰をバグフィルター前排ガス（Ｂ点）に１．８ｋｇ／ｈ噴霧し、実施例１と同様に酸性ガス除去能力と飛灰の重金属固定効果を評価して、結果を表１と表５に示した。
【００５５】
比較例２
実施例１におけると同じ施設において、炭酸水素ナトリウム（粒径ｄ５０＝１０μｍ）をバグフィルター前排ガス（Ｂ点）に１．８ｋｇ／ｈ噴霧し、実施例１と同様に酸性ガス除去能力と飛灰の重金属固定効果を評価して、結果を表１と表６に示した。
【００５６】
【表１】
2007260553.tif 000003
【００５７】
【表２】
2007260553.tif 000004
【００５８】
【表３】
2007260553.tif 000005
【００５９】
【表４】
2007260553.tif 000006
【００６０】
【表５】
2007260553.tif 000007
【００６１】
【表６】
2007260553.tif 000008
【００６２】
実施例１〜３及び比較例１，２の結果から次のことが分かる。
【００６３】
［排ガス中の塩化水素除去効果について］
表１から明らかなように、酸化マグネシウムと炭酸水素ナトリウムを噴霧した実施例１，２では、同量の消石灰を噴霧した比較例１に比べ、大幅に塩化水素濃度レベルを低下させることができた。また、同量添加した炭酸水素ナトリウムとは、ほぼ同レベルの処理効果であった。
【００６４】
［飛灰の重金属固定効果について］
表２〜４より、酸化マグネシウムと炭酸水素ナトリウムで噴霧した際に採取した飛灰（実施例２，３）は、リン酸系重金属固定剤を添加していない原灰のｐＨが１１．５以下に抑えられているため、鉛およびカドミウムの溶出は少量である。実施例１の飛灰２および飛灰３や実施例２の飛灰１、実施例３の飛灰２の原灰においては、鉛の溶出が埋立て基準（鉛：０．１ｍｇ／Ｌ以下、カドミウム：０．１ｍｇ／Ｌ以下）をわずかに超える量の鉛の溶出が見られたが、２％程度の少量のリン酸系重金属固定剤を添加して混練することにより、十分に鉛の溶出を防止できている。
【００６５】
実施例１〜３に対し、表５に示す比較例１においては、飛灰に消石灰が含まれるため、飛灰のｐＨが１２を超えており、リン酸系重金属固定剤は飛灰中の消石灰との中和に消費されてしまうことから、飛灰の溶出防止のためには１０％を超える量のリン酸系重金属固定剤を添加する必要がある。
【００６６】
表６に示す比較例２においては、少量のリン酸系重金属固定剤により重金属を固定することができるが、飛灰２のようにｐＨが９以下になった場合、Ｃｄが溶出する。この場合、飛灰のｐＨが通常の正リン酸や水酸化ナトリウム１０％配合正リン酸等の酸性の剤では、低下する方向になるためＣｄの溶出が防止できない。水酸化カリウム３０％配合正リン酸により処理は可能であるが、多量の添加量が必要となる。
【００６７】
以上より、酸化マグネシウムと炭酸水素ナトリウムを添加する方法によって、安定して塩化水素を除去することができると共に、少量のリン酸系重金属固定剤の使用により確実な重金属固定を達成できる。
【図面の簡単な説明】
【００６８】
【図１】本発明の焼却施設の排ガスおよび飛灰の処理方法の実施の形態を説明する焼却施設の模式図である。
【符号の説明】
【００６９】
１  焼却炉
２  ガス冷却塔
３  バグフィルター
４  煙突
５  サイロ
６  混練機
【図１】
2007260553.tif 000009